(57)【要約】  【課題】マナーモード利用者によるマナーモードのオン・オフ設定のための入力操作を軽減しつつ、適切な時刻にマナーモードのオン・オフを切り替えることができる携帯通信装置を提供する。  【解決手段】処理部１４がＩＣカード通信部１３より入場時刻及び場所情報を取得し、時刻表情報記憶部１２より時刻表情報を取得し、入場時刻及び場所情報を参照して、取得した時刻情報のうちの、所望の時刻情報を取得し、取得した所望の時刻情報に基づいて、携帯電話１０のマナーモードオンに切り替える時刻及びマナーモードオフに切り替える時刻を決定し、設定部１５に通知する。設定部１５は、処理部１４からの通知に基づいて、携帯電話１０のマナーモードオン及びマナーモードオフの時刻を設定し、マナーモードオンの時刻になると携帯電話１０をマナーモードオンに切り替え、マナーモードオフの時刻になると携帯電話１０をマナーモードオフに切り替える。【選択図】図１
2007116523.tif 000002
【特許請求の範囲】
【請求項１】
ＩＣカードとデータ通信可能な携帯通信装置であって、
各種時刻情報を記憶する時刻情報記憶手段と、
前記ＩＣカードに書き込まれたデータを参照して、前記時刻情報記憶手段に記憶した時刻情報のうちの、所望の時刻情報を取得する時刻情報取得手段と、
前記時刻情報取得手段により取得した時刻情報に基づいて、当該携帯通信装置により利用可能な機能の動作状態をオンあるいはオフに切り替える切替処理手段と、
を備える携帯通信装置。
【請求項２】
請求項１記載の携帯通信装置であって、
前記時刻情報は、開始時刻と終了時刻とにより構成される携帯通信端末。
【請求項３】
請求項２記載の携帯通信装置であって、
前記時刻情報記憶手段は、前記時刻情報取得手段により取得した時刻情報における開始時刻と終了時刻とを対応付けて、履歴情報として記憶し、
前記時刻情報取得手段は、前記ＩＣカードに書き込まれたデータを参照して前記時刻情報記憶手段に記憶した時刻情報のうちの所望の開始時刻を取得し、当該開始時刻に対応する終了時刻を前記履歴情報から取得する、携帯通信端末。
【発明の詳細な説明】
【技術分野】
【０００１】
本発明は、携帯電話やＰＤＡなどの携帯通信装置の機能制限の改良に関するものである。
【背景技術】
【０００２】
近年、携帯電話の普及に伴い、公衆の場での使用マナーが求められている。例えば、映画館や電車内などの公共の場に、周囲の人々に不快を与えないため、携帯電話には着信時に着信音を鳴らさずに、振動などで着信を報知するマナーモードが機能として備わっており、周囲の人々を不快にさせずに着信を報知することができる。
【０００３】
しかし、従来の携帯電話においては、マナーモードの設定は必要の度に手動で行わなければならないため、マナーモードに設定する必要がある場でその設定をし忘れたり、マナーモードの解除を忘れて緊急の連絡に気づかなかったりする場合があった。
【０００４】
この課題を解決するため、所望の時間帯にマナーモードのオン・オフを自動的に切り替える機能を備えた携帯通信装置がある。例えば、特開２００５−００６０２１号公報（特許文献１）に開示された携帯通信装置がある。この携帯通信装置は、映画の上映時間帯、交通機関の乗車時間帯などの時間情報を記録しているサーバにアクセスし、その時間情報のうちの所望のものをダウンロードする。その後、携帯通信装置が、そのダウンロードした時間情報が示す時刻と、この携帯通信装置の計時部がカウントした時刻とが一致したときに、マナーモードをオン・オフに切り替える。これによって、従来、携帯通信装置ユーザのモラルに任せられていたマナーモードのオン・オフ設定を、自動的に行うことができ、端末ユーザの設定し忘れを防止しつつ、適切な時刻に切り替えることができる。
【０００５】
【特許文献１】特開２００５−００６０２１号公報
【発明の開示】
【発明が解決しようとする課題】
【０００６】
しかしながら、上述の映画の上映時間帯や交通機関の乗車時間帯には、複数の候補があることが多く、特許文献１に開示された携帯通信装置では、ユーザが候補となる時間帯から、マナーモードをオンあるいはオフに設定したい時間帯を、予め選択しておく必要がある。すなわち、ユーザは、マナーモードをオンあるいはオフにする時刻を予め予想して、予想したその時刻にマナーモードをオンあるいはオフに設定する代わりに、前もってマナーモード設定を行っているに過ぎず、実質的には、マナーモード設定するための入力操作を行わなければならないという問題があった。
【０００７】
本発明は、上記事情に鑑みてなされたもので、マナーモード利用者によるマナーモードのオン・オフ設定のための入力操作を軽減しつつ、適切な時刻にマナーモードのオン・オフを切り替えることができる携帯通信装置を提供することを目的とする。
【課題を解決するための手段】
【０００８】
本発明の携帯通信装置は、ＩＣカードとデータ通信可能な携帯通信装置であって、各種時刻情報を記憶する時刻情報記憶手段と、前記ＩＣカードに書き込まれたデータを参照して、前記時刻情報記憶手段に記憶した時刻情報のうちの、所望の時刻情報を取得する時刻情報取得手段と、前記時刻情報取得手段により取得した時刻情報に基づいて、当該携帯通信装置により利用可能な機能の動作状態をオンあるいはオフに切り替える切替処理手段と、を備えるものである。
【０００９】
この構成により、マナーモード利用者によるマナーモードのオン・オフ設定のための入力操作を軽減しつつ、適切な時刻にマナーモードのオン・オフを切り替えることができる。
【００１０】
また、本発明の携帯通信装置は、前記時刻情報が、開始時刻と終了時刻とにより構成されるものを含む。
【００１１】
この構成により、映画館のような一定時間帯に開始時間と終了時間の選択肢がない場合、正確に開始時間と終了時間を特定することができ、マナーモード利用者によるマナーモードのオン・オフ設定のための入力操作を軽減しつつ、適切な時刻にマナーモードのオン・オフを切り替えることができる。
【００１２】
さらに、本発明の携帯通信装置は、前記時刻情報記憶手段が、前記時刻情報取得手段により取得した時刻情報における開始時刻と終了時刻とを対応付けて、履歴情報として記憶し、前記時刻情報取得手段が、前記ＩＣカードに書き込まれたデータを参照して前記時刻情報記憶手段に記憶した時刻情報のうちの所望の開始時刻を取得し、当該開始時刻に対応する終了時刻を前記履歴情報から取得するものを含む。
【００１３】
この構成により、電車の乗車のような一定時間帯に開始時間と終了時間の選択肢が多い場合でも、正確に開始時間と終了時間を特定することができ、マナーモード利用者によるマナーモードのオン・オフ設定のための入力操作を軽減しつつ、適切な時刻にマナーモードのオン・オフを切り替えることができる。
【発明の効果】
【００１４】
本発明は、マナーモード利用者によるマナーモードのオン・オフ設定のための入力操作を軽減しつつ、適切な時刻にマナーモードのオン・オフを切り替えることができるという効果を有する携帯通信装置を提供することができるものである。
【発明を実施するための最良の形態】
【００１５】
以下、本発明の実施形態の携帯通信装置について、図面を用いて説明する。なお、ここでは、図１に示す本発明の実施の形態における携帯通信装置の構成図において、携帯通信装置の一例として、携帯電話を用いている。また、携帯通信装置の動作状態をオンあるいはオフに切り替える例として、マナーモードのオン・オフを用いている。
【００１６】
図１は、本発明の実施形態における携帯電話の構成を示すブロック図である。
図１において、携帯電話１０は、通信処理部１１、時刻表情報記憶部１２、ＩＣカード通信部１３、処理部１４、設定部１５、表示部１６、バイブレータ１７、操作部１８、ＩＣカード１９、を含んで構成される。
【００１７】
通信処理部１１は、アンテナや無線通信部を含んで構成され、無線ＬＡＮ、赤外線、Ｂｌｕｅｔｏｏｔｈ、ＵＷＢ、ＺｉｇＢｅｅなどにより、時刻表情報を取得する。あるいは、通信処理部１１は、ＰＣとケーブルを介して通信可能で、ＰＣから時刻情報を取得する。
【００１８】
時刻表情報記憶部１２は、通信処理部１１で取得された時刻表情報を格納する。
【００１９】
ＩＣカード通信部１３は、後述するＩＣカード１９と通信することにより、ＩＣカード１９に書き込まれた入場時刻及び場所情報などを取得する。
【００２０】
処理部１４は、ＩＣカード通信部１３より入場時刻及び場所情報を取得し、時刻表情報記憶部１２より時刻表情報を取得し、入場時刻及び場所情報を参照して、取得した時刻表情報のうちの、所望の時刻情報を取得し、取得した所望の時刻情報に基づいて、携帯電話１０のマナーモードオンに切り替える時刻及びマナーモードオフに切り替える時刻を仮決定し、ユーザからの認可指示を受け取ると、携帯電話１０のマナーモードオンに切り替える時刻及びマナーモードオフに切り替える時刻を決定し、設定部１５に通知する。
【００２１】
設定部１５は、処理部１４からの通知に基づいて、携帯電話１０のマナーモードオン及びマナーモードオフの時刻を設定し、マナーモードオンの時刻になると、携帯電話１０をマナーモードオンに切り替え、マナーモードオフの時刻になると携帯電話１０をマナーモードオフに切り替える。
【００２２】
表示部１６は、マナーモードオン・オフの時刻などを表示し、ユーザがこの表示部１６の表示内容を見ながら、マナーモードオン・オフの時刻を確認し、後述する操作部１８を用いて認可指示などを入力する。
【００２３】
バイブレータ１７は、ユーザに携帯電話１０のマナーモードを切り替えたことを通知するとき、振動して筐体の振動や背面画面による表示によってマナーモードの切り替えを通知する。
【００２４】
操作部１８は、数字キーや文字キーと各種機能キーなどを有して構成され、電話番号や文字などの入力、携帯電話の機能設定、認可指示入力などの各種操作に用いられる。
【００２５】
ＩＣカード１９は、電子マネーデータや電子チケットデータなどを格納し、電子マネーや電子チケットなどの情報をやり取りする。映画館や駅などに入場するとき、このＩＣカード１９を映画館や駅などの改札口に設置されているＩＣカードリーダ／ライタに近づけていくことにより、電子チケット情報を読み取られると同時に、入場時刻や入場した映画館や駅などの場所情報が書き込まれる。
【００２６】
以上のように構成された携帯電話１０について、図２に示すフローチャートに基づいてその動作を説明する。
まず、通信処理部１１が時刻表データを取得する（ステップＳ２０１）。ユーザが映画館や駅などに行く前に、無線ＬＡＮ、赤外線、Ｂｌｕｅｔｏｏｔｈ、ＵＷＢ、ＺｉｇＢｅｅなどにより、時刻表情報を取得しておく。時刻表情報記憶部１２は、ステップＳ２０１で取得された時刻表データを格納する（ステップＳ２０２）。
【００２７】
ＩＣカード通信部１３は、ＩＣカード１９と通信することにより、その入場時刻と入場した映画館や駅などの場所情報をＩＣカード１９から取得する（ステップＳ２０３）。ユーザがＩＣカード１９を用いて改札口を通過するとき、ＩＣカード１９を映画館や駅などの改札口に設置されているＩＣカードリーダ／ライタに近づけていくことにより、そのＩＣカード１９に格納されている電子チケット情報を読み取られると同時に入場時刻や入場した映画館や駅などの場所情報が書き込まれ、ＩＣカード通信部１３がＩＣカード１９と通信することにより、書き込まれた入場時刻と入場した映画館や駅などの場所情報を取得する。ここでは、ユーザがＩＣカード１９を用いて改札口を通過するとき（ＩＣカード１９をＩＣカードリーダ／ライタに近づけたとき）、書き込まれた入場時刻と入場した映画館や駅などの場所情報をＩＣカード通信部１３が取得する構成としたが、ユーザがＩＣカード１９を用いて改札口を通過した後に（ＩＣカード１９をＩＣカードリーダ／ライタに近づけた後に）、書き込まれた入場時刻と入場した映画館や駅などの場所情報をＩＣカード通信部１３が取得する構成としても良い。
【００２８】
処理部１４は、ＩＣカード通信部１３より入場時刻及び場所情報を取得し、時刻表情報記憶部１２より時刻表情報を取得し、入場時刻及び場所情報を参照して、取得した時刻表情報のうちの、所望の時刻情報を取得し、取得した所望の時刻情報に基づいて、携帯電話１０のマナーモードオンに切り替える時刻及びマナーモードオフに切り替える時刻を仮決定し、表示部１６に表示指示を出力する（ステップＳ２０４）。
【００２９】
表示部１６は、処理部１４からの表示指示を受け取ると、携帯電話１０のマナーモードオンに切り替える時刻及びマナーモードオフに切り替える時刻を表示する（ステップＳ２０５）。
【００３０】
処理部１４は、ユーザがマナーモードオンに切り替える時刻及びマナーモードオフに切り替える時刻を認可したかを判断する（ステップＳ２０６）。表示部１６が携帯電話１０のマナーモードオンに切り替える時刻及びマナーモードオフに切り替える時刻を表示すると、ユーザがその表示画面を見て確認した上、認可の場合、操作部１８より認可指示を入力し、認可しない場合、操作部１８より認可しない指示を入力する。処理部１４が操作部１８からの指示により、ユーザが認可したかを判断する。なお、ここでは、ユーザが、マナーモードへの切り替えを認可しない場合に操作部１８により認可しない指示を入力するようにしたが、マナーモードへの切り替えを認可するつもりのないユーザが、予めマナーモードへの切り替えを拒否する設定を行ってマナーモードへの切り替えを常に認可しない状態にしておくことで、操作部１８により認可しない指示を入力する手間を省くことができる構成にしても良い。
【００３１】
ステップＳ２０６において、操作部１８からの指示が認可しない指示である場合、すなわち、ユーザが携帯電話１０のマナーモードオンに切り替える時刻及びマナーモードオフに切り替える時刻を認可しない場合、ステップＳ２０４に戻り、再度時刻表情報から携帯電話１０のマナーモードオンに切り替える時刻及びマナーモードオフに切り替える時刻を仮決定する。なお、ここでは、ユーザが認可しない場合にステップＳ２０４に戻るよう記載したが、ステップＳ２０４に戻らずに処理を終了（ステップＳ２１３）するようにしても良い。
【００３２】
一方、ステップＳ２０６において、操作部１８からの指示は認可指示である場合、すなわち、ユーザが携帯電話１０のマナーモードオンに切り替える時刻及びマナーモードオフに切り替える時刻を認可した場合、処理部１４が設定部１５に設定指示を出力し、設定部１５がその指示を受け取ると、携帯電話１０をマナーモードオンに切り替える時刻及びマナーモードオフに切り替える時刻に切り替えるよう設定する（ステップＳ２０７）。
【００３３】
携帯電話１０のマナーモードオン・オフ時刻を設定した後、設定部１５がマナーモードオンに切り替える時刻になったかを判断し（ステップＳ２０８）、マナーモードオンに切り替える時刻になっていないと判定した場合、ステップＳ２０８を繰り返し実行し、マナーモードオンに切り替える時刻を待つ。
【００３４】
一方、ステップＳ２０８において、マナーモードオンに切り替える時刻になったと判定した場合、携帯電話１０をマナーモードオンに切り替え（ステップＳ２０９）、バイブレータ１７が振動して筐体の振動によってモードの切り替えを通知する（ステップＳ２１０）。
【００３５】
続いて、設定部１５がマナーモードオフに切り替える時刻になったかを判断し（ステップＳ２１１）、マナーモードオフに切り替える時刻になっていないと判定した場合、ステップＳ２１１を繰り返し実行し、マナーモードオフに切り替える時刻を待つ。
【００３６】
一方、ステップＳ２１１において、マナーモードオフに切り替える時刻になったと判定した場合、携帯電話１０をマナーモードオフに切り替え（ステップＳ２１２）、処理が終了する（ステップＳ２１３）。このとき、バイブレータ１７が振動して筐体の振動によってモードの切り替えを通知したり、スピーカ（図示せず）に音出力させてモードの切り替えを通知したり、しても良い。
【００３７】
このような本発明の実施形態の携帯電話１０によれば、入場時刻と場所情報を参照して、時刻表情報からマナーモードのオン・オフ時刻を特定し、マナーモードオンの時刻になると自動的に携帯電話１０をマナーモードオンに切り替え、マナーモードオフの時刻になると自動的に携帯電話１０をマナーモードオフに切り替える。これによって、マナーモード利用者によるマナーモードのオン・オフ設定のための入力操作を軽減しつつ、適切な時刻にマナーモードのオン・オフを切り替えることができる。
【００３８】
また、マナーモードのオン・オフ時刻を特定するために参照する時刻表情報は通信処理部が取得するものなので、時刻表が変更された場合、新たな時刻表を取得することによって、常に最新な時刻表を参照してマナーモードのオン・オフ時刻を特定することができ、時刻表が変更されても、正確な時刻にマナーモードオン・オフに切り替えることができる。なお、時刻表の変更、すなわち、時刻表の改正がなされる日付は事前に分かっているため、改正後の時刻表データとその改正日付を予め取得しておき、その改正日付になったときに改正後の時刻表データに更新するようにする。このとき、近年の携帯電話に備わるスケジュール管理機能を利用して、その日付をスケジュールとして登録し、その日付になったときに、時刻表の更新処理を実行するようにしても良い。
【００３９】
ＩＣカードを用いて入場して携帯電話をマナーモードに切り替える必要がある場面としては、様々の状況が考えられる。以下、場所及び入場時刻を決定したら、候補となる開始時刻と終了時刻が少ない例として映画館に入館する実施例１と、場所及び入場時刻を決定しても、候補となる開始時刻と終了時刻が多い例として電車に乗車する実施例２について詳細に説明する。
【実施例１】
【００４０】
実施例１は、ユーザがＩＣカードを搭載した携帯電話を用いて映画館に入館し、映画の上映時間になると、携帯電話をマナーモードオンに切り替え、映画が終了すると、携帯電話をマナーモードオフに切り替える例である。
【００４１】
図３は、本実施例の携帯電話の構成を示すブロック図である。
実施例１の携帯電話３０は、図１に示す携帯電話１０の構成において、時刻表情報記憶部１２の代わりに映画時刻表情報記憶部３１を設け、処理部１４の代わりに機能が若干異なる処理部３２を設けた。なお、図１に示した携帯電話１０と同一の構成要素には、同一の符号を付してその説明を省略する。
【００４２】
映画時刻表情報記憶部３１は、映画の開始時刻と終了時刻を記憶する。
【００４３】
処理部３２は、ＩＣカード通信部１３より入館時刻及び場所情報を取得し、映画時刻表情報記憶部３１より映画時刻表情報を取得し、入館時刻及び場所情報を参照して、入館時刻に最も近い映画上映時刻及びその上映時刻に対応する終了時刻を取得し、取得した所望の映画時刻情報に基づいて、携帯電話１０のマナーモードオンに切り替える時刻及びマナーモードオフに切り替える時刻を仮決定し、ユーザからの認可指示を受け取ると、携帯電話３０のマナーモードオンに切り替える時刻及びマナーモードオフに切り替える時刻を決定し、設定部１５に通知する。映画館の時刻表情報には、同一館内において、一定時間帯に選択肢となる複数の放映時間がないため、入館時刻及び映画館の場所情報から入館後に視聴可能な映画の開始時間を特定すると、その開始時間に対応する終了時間も簡単に特定することができる。
【００４４】
以上のように構成された携帯電話３０について、図４に示すフローチャートに基づいてその動作を説明する。
【００４５】
まず、通信処理部１１が映画時刻表データを取得する（ステップＳ４０１）。
映画時刻表情報記憶部３１が、ステップＳ４０１で取得された映画時刻表データを格納する（ステップＳ４０２）。
【００４６】
ユーザが映画館に行って、ＩＣカード１９を用いて改札口を通過した後、ＩＣカード通信部１３がＩＣカード１９と通信することにより、映画館に入館した時刻と入館した映画館の場所情報を取得する（ステップＳ４０３）。ユーザがＩＣカード１９を用いて映画館の改札口を通過するとき、ＩＣカード１９を映画館の改札口に設置されているＩＣカードリーダ／ライタに近づけていくことにより、そのＩＣカード１９に格納されている電子チケット情報を読み取られると同時に入館時刻や入館した映画館の場所情報が書き込まれ、ＩＣカード通信部１３がＩＣカード１９と通信することにより、書き込まれた入館時刻と入館した映画館の場所情報を取得する。
【００４７】
処理部３２が、ＩＣカード通信部１３より入館時刻及び場所情報を取得し、映画時刻表情報記憶部３１より映画時刻表情報を取得し、入館時刻及び場所情報を参照して、入館時刻に最も近い映画上映時刻及びその上映時刻に対応する終了時刻を取得し、取得した所望の映画時刻情報に基づいて、携帯電話３０のマナーモードオンに切り替える時刻及びマナーモードオフに切り替える時刻を仮決定し、表示部１６に表示指示を出力する（ステップＳ４０４）。
【００４８】
これ以降の手順、すなわちステップＳ２０５〜Ｓ２１３の動作は、図２に示した動作と同じであるので説明を省略する。
【００４９】
このように、携帯電話３０によれば、映画館に入館した時刻と映画館の場所情報を参照して、映画時刻表情報からマナーモードのオン・オフ時刻を特定し、マナーモードオンの時刻になると自動的に携帯電話３０をマナーモードオンに切り替え、マナーモードオフの時刻になると自動的に携帯電話３０をマナーモードオフに切り替える。これによって、映画館のような一定時間帯に開始時間と終了時間の選択肢がない場合、正確に開始時間と終了時間を特定することができ、マナーモード利用者によるマナーモードのオン・オフ設定のための入力操作を軽減しつつ、適切な時刻にマナーモードのオン・オフを切り替えることができる。
【実施例２】
【００５０】
実施例２は、ユーザがＩＣカードを搭載した携帯電話を用いて駅に入り、電車に乗車する時間になると、携帯電話をマナーモードオンに切り替え、降車する時間になると、携帯電話をマナーモードオフに切り替える例である。
【００５１】
図５は、本実施例の携帯電話の構成を示すブロック図である。
実施例２の携帯電話５０は、図１に示す携帯電話１０の構成において、学習データ記憶部５１を設け、処理部１４の代わりに機能が若干異なる処理部５２を設けた。なお、図１に示した携帯電話１０と同一の構成要素には、同一の符号を付してその説明を省略する。
【００５２】
学習データ記憶部５１は、以前電車を利用した時の乗車駅名、降車駅名、乗車時刻、降車時刻などの履歴情報を記憶する。
【００５３】
処理部５２は、ＩＣカード通信部１３より入場時刻及び乗車駅の場所情報を取得し、その入場時刻及び乗車駅の場所情報に基づいて、時刻表情報記憶部１２に記憶した時刻表情報から乗車時刻を特定し、学習データ記憶部５１に記憶した今までの利用履歴情報に基づいて終了時間を特定する。
【００５４】
以上のように構成された携帯電話５０について、図６〜９に示すフローチャート及び図１０に示す操作画面例に基づいてその動作を説明する。
【００５５】
まず、通信処理部１１が時刻表データを取得し、時刻表情報記憶部１２がその取得した時刻表データを記憶する（ステップＳ６０１）。
【００５６】
ユーザがＩＣカード１９を用いて駅の改札口を通過した後、ＩＣカード通信部１３がＩＣカード１９と通信することにより、入場券の種別を取得し、処理部５２に通知する（ステップＳ６０２）。
【００５７】
処理部５２が入場券の種別は特急券であるかを判断する（ステップＳ６０３）。
【００５８】
ステップＳ６０３において、入場券の種別は特急券であると判定した場合、ＩＣカード通信部１３はＩＣカード１９と通信し、入場時刻と乗車駅を取得する（ステップＳ６０４）。
【００５９】
また、ＩＣカード通信部１３は、ＩＣカード１９と通信して、乗車時刻、降車駅、降車時刻を取得する（ステップＳ６０５）。特急券を購入した場合、乗車駅、乗車時刻、降車駅、降車時刻が決まって購入するので、これらの情報が全部書き込まれたＩＣカード１９からデータを取得する。なお、乗車駅、乗車時刻、降車駅、降車時刻を一意に決定することができる、購入した特急券に付与された識別ＩＤが書き込まれたＩＣカードを利用して、ＩＣカード通信部１３によりＩＣカードから読み取った識別ＩＤを基に、通信処理部１１が、購入した特急券の乗車駅、乗車時刻、降車駅、降車時刻の情報を、この情報を管理するサーバなどから取得するケースも考えられる。
【００６０】
処理部５２がステップＳ６０４で取得された入場時刻と乗車駅情報及び、ステップＳ６０５で取得された乗車時刻、降車駅、降車時刻情報に基づいて、携帯電話５０をマナーモードオンに設定する時刻とマナーモードオフに設定する時刻を仮決定し、表示部１６に表示指示を出力する（ステップＳ６０６）。
【００６１】
表示部１６が、処理部５２からの表示指示を受け取ると、携帯電話５０のマナーモードオンに切り替える時刻及びマナーモードオフに切り替える時刻を表示する（ステップＳ６０７）。表示部１６は、例えば、「××時××分にマナーモードオン、××時××分にマナーモードオフに設定してもよい？」を表示し、ユーザの認可を求める。
【００６２】
処理部５２が、ユーザがマナーモードオンに設定する時刻とマナーモードオフに設定する時刻を認可したかを判断する（ステップＳ６０８）。表示部１６が携帯電話５０のマナーモードオンに切り替える時刻及びマナーモードオフに切り替える時刻を表示すると、ユーザがその表示を見て確認した上、認可の場合、操作部１８より認可指示を入力し、認可しない場合、操作部１８より認可しない指示を入力する。処理部５２が操作部１８からの指示により、ユーザが認可したかを判断する。
【００６３】
ステップＳ６０８において、操作部１８からの指示は認可しない指示である場合、携帯電話５０のマナーモードオンに切り替える時刻及びマナーモードオフに切り替える時刻を入力させる画面を表示する指示を表示部１６に出力し、表示部１６がその指示を受け取って、表示する（ステップＳ６０９）。ユーザは、表示部１６のこの表示をみることにより、操作部１８よりマナーモードオン・オフ時刻を入力する。
【００６４】
処理部５２は、操作部１８から携帯電話５０のマナーモードオンに切り替える時刻及びマナーモードオフに切り替える時刻に関する操作を受け付け（ステップＳ６１０）、ステップＳ６１１に進む。
【００６５】
一方、ステップＳ６０８において、操作部１８からの指示は認可指示である場合、すなわち、ユーザが携帯電話５０のマナーモードオンに切り替える時刻及びマナーモードオフに切り替える時刻を認可した場合、処理部５２が設定部１５に設定指示を出力し、設定部１５がその指示を受け取ると、携帯電話５０をマナーモードオンに切り替える時刻及びマナーモードオフに切り替える時刻に切り替えるよう設定する（ステップＳ６１１）。
【００６６】
設定部１５がマナーモードオンに切り替える時刻になったかを判断し（ステップＳ６１２）、マナーモードオンに切り替える時刻になっていないと判定した場合、ステップＳ６１２を繰り返し実行し、マナーモードオンに切り替える時刻を待つ。
【００６７】
一方、ステップＳ６１２において、マナーモードオンに切り替える時刻になったと判定した場合、携帯電話５０をマナーモードオンに切り替え（ステップＳ６１３）、バイブレータ１７が振動して筐体の振動によってモードの切り替えをユーザに通知する（ステップＳ６１４）。
【００６８】
設定部１５がマナーモードオフに切り替える時刻になったかを判断し（ステップＳ６１５）、マナーモードオフに切り替える時刻になっていないと判定した場合、ステップＳ６１５を繰り返し実行し、マナーモードオフに切り替える時刻を待つ。
【００６９】
一方、ステップＳ６１５において、マナーモードオフに切り替える時刻になったと判定した場合、携帯電話５０をマナーモードオフに切り替え（ステップＳ６１６）、処理が終了する（ステップＳ６１７）。
【００７０】
一方、ステップＳ６０３において、入場券は特急券ではない、すなわち通常券であると判定した場合、ＩＣカード通信部１３がＩＣカード１９と通信することにより乗車駅名と入場時間を取得し、処理部５２に出力する（ステップＳ６１８）。なお、ステップＳ６０３において、特急券使用後に通常券への乗り継ぎが発生すると判定した場合には、ステップＳ６１１の処理の後、その乗り継ぎを行なう乗車駅名と乗り継ぎ予定時刻を取得し、ステップＳ６１８の処理に移行する。
【００７１】
処理部５２は、入力された乗車駅名は学習データ記憶部５１に記憶されている学習データのなかにあるかを判断する（ステップＳ６１９）。学習データ記憶部５１は、以前電車を利用した時の乗車駅名、降車駅名、乗車時刻、降車時刻などの履歴情報を記憶するもので、以前も同じ乗車駅を利用したことがある場合、その乗車駅名が学習データ記憶部５１に記憶される。
【００７２】
ステップＳ６１９において、入力された乗車駅名は学習データ記憶部５１にないと判定した場合、すなわち、以前同じ駅に乗車したことがない場合、処理部５２が、この乗車駅と関係なく、今までの電車利用歴のなか、利用頻度が高い順に降車駅の選択肢を検索し（ステップＳ６２０）、表示部１６が乗車駅名と同時に検索結果の降車駅の選択肢を表示する（ステップＳ６２１）。
【００７３】
処理部５２はユーザが降車駅について応答したかを判断し（ステップＳ６２２）、ユーザが応答しなかったと判定した場合、ステップＳ６２２を繰り返し実行し、ユーザからの応答を待つ。表示部１６が乗車駅名と降車駅の選択肢を表示すると、ユーザが表示部１６の表示内容を見ながら、操作部１８より選択する降車駅を決定する。図１０（ａ）は、この場合の表示画面を示す例である。図１０（ａ）において、ＩＣカード通信部１３がＩＣカード１９と通信することにより取得した乗車駅名は、ここでは大阪を例にして、表示画面の乗車駅のところで表示され、降車駅の選択肢は、表示画面の降車駅のところで表示され、ユーザがこの画面を見て、降車駅を決定する。
【００７４】
ステップＳ６２２において、処理部５２はユーザが降車駅について応答したと判定した場合、ユーザが決定した降車駅名を取得し（ステップＳ６２３）、乗車駅、降車駅、現在の時刻から乗車候補と乗車時刻、降車時刻を決定し（ステップＳ６２４）、表示部１６により表示する（ステップＳ６２５）。図１０（ａ）において、乗車駅の大阪と、降車駅の京橋と、現在の時刻１１時５８分から乗車候補の大阪１２時００分発、京橋１２時５分着の情報を表示部１６に表示される。ユーザがこの画面を見て、提示された乗車時刻、降車時刻を認めるかを決定し、操作部１８より結果を入力する。
【００７５】
処理部５２は、ユーザが表示された乗車時刻、降車時刻を認可したかを判断し（ステップＳ６２６）、ユーザが表示された乗車時刻、降車時刻を認可しなかったと判定した場合、ステップＳ６２４に戻り、再度乗車候補と乗車時刻、降車時刻を決定する。例えば、図１０（ａ）の例において、次の１２時０５分大阪発の電車を乗車候補と決定する。
【００７６】
一方、ステップＳ６２６において、ユーザが表示された乗車時刻、降車時刻を認可したと判定した場合、学習データ記憶部５１にここで決定された乗車駅、乗車時刻、降車駅、降車時刻を履歴情報として追加し（ステップＳ６２７）、ステップＳ６１１に進む。
【００７７】
また、ステップＳ６１９において、入力された乗車駅名は学習データ記憶部５１に記憶されている学習データのなかにあると判定した場合、すなわち、以前は同じ駅に乗車したことがある場合、処理部５２が、学習データ記憶部５１に記憶されている今までの電車利用歴のなかから、この乗車駅から乗車し、利用頻度が高い順に降車駅の選択肢を検索し（ステップＳ６２８）、表示部１６が乗車駅名と同時に検索結果の降車駅の選択肢を表示する（ステップＳ６２９）。
【００７８】
処理部５２はユーザが降車駅について応答したかを判断し（ステップＳ６３０）、ユーザが応答しなかったと判定した場合、ステップＳ６３０を繰り返し実行し、ユーザからの応答を待つ。表示部１６が乗車駅名と降車駅の選択肢を表示すると、ユーザが表示部１６の表示内容を見ながら、操作部１８より選択する降車駅を決定する。
【００７９】
ステップＳ６３０において、処理部５２はユーザが降車駅について応答したと判定した場合、ユーザが決定した降車駅名を取得し（ステップＳ６３１）、ユーザが決定した降車駅は学習データ記憶部５１に記憶されている学習データにある降車駅であるかを判断し（ステップＳ６３２）、学習データにない降車駅であると判定した場合、乗車駅に該当する時刻表データを参照して、乗車駅、降車駅、現在の時刻情報から乗車候補の乗車時刻、降車時刻を決定し（ステップＳ６３３）、表示部１６がその乗車候補の乗車時刻、降車時刻を表示する（ステップＳ６３４）。
【００８０】
処理部５２はユーザが表示された乗車時刻、降車時刻を認可したかを判断し（ステップＳ６３５）、ユーザが表示された乗車時刻、降車時刻を認可しなかったと判定した場合、ステップＳ６３３に戻り、再度乗車候補と乗車時刻、降車時刻を決定する。
【００８１】
一方、ステップＳ６３５において、ユーザが表示された乗車時刻、降車時刻を認可したと判定した場合、学習データ記憶部５１にここで決定された乗車駅、乗車時刻、降車駅、降車時刻を履歴情報として追加し（ステップＳ６３６）、ステップＳ６１１に進む。
【００８２】
一方、ステップＳ６３２において、ユーザが決定した降車駅は学習データ記憶部５１に記憶されている学習データにある降車駅であると判定した場合、学習データ記憶部５１に記憶されている学習データの乗り継ぎを含めた全乗車駅、乗車時刻、降車駅、降車時刻をセットにして表示する（ステップＳ６３７）。図１０（ｂ）は、セットにして表示されたデータ例を示す。ここで、例えば、学習データを参照することが選択された場合、大阪から西三荘までの乗り継ぎを含めた全乗車駅、乗車時刻、降車駅、降車時刻が表示される。
【００８３】
処理部５２はユーザがセットにして表示したデータを認可したかを判断し（ステップＳ６３８）、ユーザがセットにして表示したデータを認可したと判定した場合、このセットにして表示したデータに示された乗車駅、乗車時刻、降車駅、降車時刻を履歴情報として追加し（ステップＳ６３６）、ステップＳ６１１に進む。
【００８４】
一方、ステップＳ６３８において、ユーザがセットにして表示したデータを認可しなかったと判定した場合、ユーザに乗り継ぎの乗車駅名を入力させ、乗り継ぎの乗車駅情報を取得し（ステップＳ６３９）、時刻表データを参照して、乗車候補の乗車駅、乗車時刻、降車駅、降車時刻を表示部１６より表示する（ステップＳ６４０）。図１０（ｃ）は、大阪から西三荘に行き、ユーザが乗り継ぎの乗車駅を京橋に指定した場合の表示画面を示す。
【００８５】
ステップＳ６３９〜６４０の手順、すなわち、ユーザが乗り継ぎの乗車駅名を指定し、乗車候補の乗車駅、乗車時刻、降車駅、降車時刻を表示する動作は、乗り継ぎ回数回繰り返し実行される。
【００８６】
ステップＳ６４０において乗車候補の乗車駅、乗車時刻、降車駅、降車時刻を表示した後、処理部５２はユーザが表示された乗車時刻、降車時刻を認可したかを判断し（ステップＳ６４１）、ユーザが表示された乗車時刻、降車時刻を認可しなかったと判定した場合、ステップＳ６４０に戻り、再度乗車候補と乗車時刻、降車時刻を決定する。
【００８７】
一方、ステップＳ６４１において、ユーザが表示された乗車時刻、降車時刻を認可したと判定した場合、学習データ記憶部５１にここで決定された乗車駅、乗車時刻、降車駅、降車時刻を履歴情報として追加し（ステップＳ６３６）、ステップＳ６１１に進む。
【００８８】
このように、携帯電話５０によれば、駅に入場した時刻と駅名の場所情報を参照して、乗車時刻を特定し、学習データから降車時刻を特定し、特定した乗車時刻と降車時刻に基づいて、マナーモードのオン・オフ時刻を特定し、マナーモードオンの時刻になると自動的に携帯電話５０をマナーモードオンに切り替え、マナーモードオフの時刻になると自動的に携帯電話５０をマナーモードオフに切り替える。これによって、電車の乗車のような一定時間帯に開始時間と終了時間の選択肢が多い場合でも、正確に開始時間と終了時間を特定することができ、マナーモード利用者によるマナーモードのオン・オフ設定のための入力操作を軽減しつつ、適切な時刻にマナーモードのオン・オフを切り替えることができる。なお、ここで説明した学習データのデータ処理方法およびその処理に用いられる学習データのデータ形式は一例であり、既存の学習データのデータ処理方法およびその処理に用いられる学習データのデータ形式もまた、本発明の適用範囲に含まれる。
【００８９】
なお、以上の説明では、予め通信処理部より時刻表情報を取得しておく例について説明したが、その時刻表情報をチケット購入時に、ＩＣカードに書き込まれ、処理部は時刻表情報を利用する時、ＩＣカードにより取得してもよいし、予め時刻表情報を取得することではなく、時刻表情報を必要する時、携帯電話用無線や無線ＬＡＮなどの通信手段により取得してもよい。
【００９０】
また、ステップＳ６２８の処理において、ある乗車駅名から所定の入場時刻に乗車する場合の選択肢のうち、特定の１つの選択肢が極めて頻繁に選択されている場合（例えば、その乗車駅から所定の入場時刻に乗車すると、ステップＳ６３８の処理において９割程度の割合で特定の駅が降車として認可され、かつ降車時刻もまた所定の時刻で認可されていた場合）、ステップＳ６２９、Ｓ６３０の処理や、ステップＳ６３７、Ｓ６３８の処理や、ステップＳ６４０、Ｓ６４１の処理を省略してモードオンオフ時刻を設定し、その時刻に応じてモードオンオフを切り替えるようにしても良い。このとき、設定したモードオンオフ時刻が誤っている場合、ステップＳ６２０の処理に戻り、ステップＳ６２０からＳ６２６の処理を行なって、学習データを正しいものに置き換えるようにする。
【００９１】
また、ステップＳ６２８の処理において、ある乗車駅名から所定の入場時刻に乗車する場合の選択肢のうち、特定の１つの選択肢がほとんど選択されていない場合（例えば、その乗車駅から所定の入場時刻に乗車すると、ステップＳ６３８の処理において１割程度の割合でしか特定の駅が降車として認可されず、また降車時刻が所定の時刻で認可されたことがない場合）、ステップＳ６２９の処理や、ステップＳ６３７の処理や、ステップＳ６４０の処理において、降車駅名または降車時刻を表示させない、あるいはそのような選択肢を一括して１つの選択肢「その他」として表示し、ユーザが「その他」の選択肢を選択した場合に降車駅名または降車時刻を表示するようにしても良い。
【００９２】
また、以上の説明では、携帯電話のオン・オフの切り替える例を説明したが、音楽プレーヤなどのモード変更についても同様に実施可能であり、さらに、携帯電話のオン・オフと音楽プレーヤのモード変更を同時に行なうことも実施可能である。
【００９３】
また、以上の説明では、携帯電話とＩＣカードと一体になった例を説明したが、携帯電話とＩＣカードとを分離してもよい。さらに、ＩＣカード通信部を携帯電話と分離してもよい。
【産業上の利用可能性】
【００９４】
以上のように、本発明にかかる携帯通信装置は、マナーモード利用者によるマナーモードのオン・オフ設定のための入力操作を軽減しつつ、適切な時刻にマナーモードのオン・オフを切り替えることができるという効果を有し、携帯通信装置の機能制限の改良等として有用である。
【図面の簡単な説明】
【００９５】
【図１】本発明の実施形態における携帯電話のブロック図
【図２】本発明の実施形態における携帯電話の動作説明のためのフロー図
【図３】本発明の実施例１における携帯電話のブロック図
【図４】本発明の実施例１における携帯電話の動作説明のためのフロー図
【図５】本発明の実施例２における携帯電話のブロック図
【図６】本発明の実施例２における携帯電話の動作説明のためのフロー図
【図７】本発明の実施例２における携帯電話の動作説明のためのフロー図
【図８】本発明の実施例２における携帯電話の動作説明のためのフロー図
【図９】本発明の実施例２における携帯電話の動作説明のためのフロー図
【図１０】操作画面の例を示す図
【符号の説明】
【００９６】
１０、３０、５０  携帯電話
１１  通信処理部
１２  時刻表情報記憶部
１３  ＩＣカード通信部
１４、３２、５２  処理部
１５  設定部
１６  表示部
１７  バイブレータ
１８  操作部
１９  ＩＣカード
３１  映画館時刻情報記憶部
５１  学習データ記憶部
【図１】
2007116523.tif 000003
【図２】
2007116523.tif 000004
【図３】
2007116523.tif 000005
【図４】
2007116523.tif 000006
【図５】
2007116523.tif 000007
【図６】
2007116523.tif 000008
【図７】
2007116523.tif 000009
【図８】
2007116523.tif 000010
【図９】
2007116523.tif 000011
【図１０】
2007116523.tif 000012